(57)【要約】【課題】  発光素子が発する光の指向性を制御することにより、広がりのある発光装飾を供給し得るように構成した照明ユニット及び該照明ユニットを備えた遊技機を提供する。【解決手段】  照明ユニット３１が、ＬＥＤ８７，８９，９１を夫々実装した電飾基板８６，８８，９０と、レンズ状突起８４ｆを一方の面に有するレンズ部材８４と、レンズ状突起８５ｅ，８５ｆを夫々一面ごとに有するレンズ部材８５と、装飾カバー８３とを備え、上記したレンズ部材８４，８５が、電飾基板８６，８８，９０と装飾カバー８３との間に夫々層状に配置されることによってＬＥＤ８７，８９，９１からの光を順次拡散するように構成する。【選択図】      図８
2006122279.tif 000002
【特許請求の範囲】
【請求項１】
発光駆動によって発光装飾を行う照明ユニットにおいて、
発光素子を実装した電飾基板と、
少なくとも一方の面にレンズ状突起を１つ以上有して前記発光素子からの射出光を拡散する光拡散部材と、
前記光拡散部材によって拡散された拡散光を透過することで発光装飾する装飾カバーと、を備え、
前記光拡散部材は、前記電飾基板と前記装飾カバーとの間であって、層状に複数配置されることにより前記電飾基板からの光を層毎に順次拡散させる、
ことを特徴とする照明ユニット。
【請求項２】
前記光拡散部材は、その両面に前記レンズ状突起を備え、かつ、
前記レンズ状突起は、前記光拡散部材の一方の面と他方の面とで互いに異なる形状を有してなる、
ことを特徴とする請求項１に記載の照明ユニット。
【請求項３】
前記光拡散部材に備えた前記レンズ状突起は、少なくとも一方の面がダイアモンド形状を有してなる、
ことを特徴とする請求項１又は２に記載の照明ユニット。
【請求項４】
前記光拡散部材に備えた前記レンズ状突起は、少なくとも一方の面がディンプル形状を有してなる、
ことを特徴とする請求項１乃至３の何れか１項に記載の照明ユニット。
【請求項５】
請求項１乃至４のいずれか１項に記載の照明ユニットを備えることを特徴とする遊技機。
【請求項６】
前記照明ユニットは、遊技機に備えた枠体及び／又は該枠体に支持される遊技盤に装着された状態で発光装飾を施してなる、
ことを特徴とする請求項５に記載の遊技機。
【発明の詳細な説明】
【技術分野】
【０００１】
本発明は、照明ユニット及び該照明ユニットを備えるパチンコ機等の遊技機に係り、詳しくは、センター飾り等のユニット役物における演出性が豊かになるように改善した照明ユニット及び該照明ユニットを備える遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている。（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から入球した遊技球を始動チャッカー側に導くように転動させる遊技球ステージを備えたものが存在する。また、このようなパチンコ機の前面枠や遊技盤面等には、一般的に発光ダイオード等の電飾ランプを用いた照明装置が設置され、遊技者の興趣の向上に貢献するものとなっている（例えば、特許文献２参照）。
【０００５】
近年、上記のような遊技球ステージを有するパチンコ機にあって、当該ステージにおける所定の位置に球導入口を形成しておき、ワープ導入口から入球した遊技球の一部が上記球導入口への対応位置に偶然的に転動して該球導入口に落下した際、当該遊技球を略１００％の確率で始動チャッカーに入球し得るように案内する構成を備えたものも存在する（例えば、特許文献３参照）。
【０００６】
【特許文献１】特開２００３−２３６２１０号公報
【特許文献２】特開２００１−３２７６７２号公報
【特許文献３】特開２０００−５１４４８号公報
【発明の開示】
【発明が解決しようとする課題】
【０００７】
このような、上記特許文献３に記載されるようなパチンコ機においては、遊技中もしくは未使用時、又は大当たりした際の入賞時等に、所定の位置に配置された照明装置によって各動作状態を表す発光装飾が一般的におこなわれている。このような照明装置で用いられる光源には、白熱灯や蛍光灯に比して長寿命で低消費電力の発光ダイオード（ＬＥＤ）等の発光素子が多く用いられるが、このＬＥＤが発する光は指向性が強く、広がりがないため、発光面積が広い照明装置に用いる場合等、時として装飾性に欠けるものとなっていた。
【０００８】
そこで本発明は、発光素子が発する光の指向性を制御することにより、広がりのある発光装飾を供給し得るように構成し、もって上述した課題を解決した照明ユニット及び該照明ユニットを備える遊技機を提供することを目的とするものである。
【課題を解決するための手段】
【０００９】
請求項１に係る本発明は（例えば図１ないし図８参照）、発光駆動によって発光装飾を行う照明ユニット（３１）において、
発光素子（８７，８９，９１）を実装した電飾基板（８６，８８，９０）と、
少なくとも一方の面にレンズ状突起（８４ｆ，８５ｅ，８５ｆ）を１つ以上有して前記発光素子（８７，８９，９１）からの射出光を拡散する光拡散部材（８４，８５）と、
前記光拡散部材（８４，８５）によって拡散された拡散光（Ｌ）を透過することで発光装飾する装飾カバー（８３）と、を備え、
前記光拡散部材（８４，８５）は、前記電飾基板（８６，８８，９０）と前記装飾カバー（８３）との間であって、層状に複数配置されることにより前記電飾基板（８６，８８，９０）からの光を層毎に順次拡散させる、
ことを特徴とする照明ユニット（３１）にある。
【００１０】
請求項２に係る本発明は（例えば図５ないし図８参照）、前記光拡散部材（８４，８５）が、その両面に前記レンズ状突起（８４ｆ，８５ｅ，８５ｆ）を備え、かつ、
前記レンズ状突起（８４ｆ，８５ｅ，８５ｆ）は、前記光拡散部材（８４，８５）の一方の面と他方の面とで互いに異なる形状を有してなる、
ことを特徴とする請求項１に記載の照明ユニット（３１）にある。
【００１１】
請求項３に係る本発明は（例えば図７又は図８参照）、前記光拡散部材（８４，８５）に備えた前記レンズ状突起（８４ｆ，８５ｅ，８５ｆ）が、少なくとも一方の面がダイアモンド形状を有してなる、
ことを特徴とする請求項１又は２に記載の照明ユニット（３１）にある。
【００１２】
請求項４に係る本発明は（例えば図７又は図８参照）、前記光拡散部材（８４，８５）に備えた前記レンズ状突起（８４ｆ，８５ｅ，８５ｆ）が、少なくとも一方の面がディンプル形状を有してなる、
ことを特徴とする請求項１乃至３の何れか１項に記載の照明ユニット（３１）にある。
【００１３】
請求項５に係る本発明は（例えば図１ないし図８参照）、請求項１乃至４のいずれか１項に記載の照明ユニット（３１）を備えることを特徴とする遊技機（１）にある。
【００１４】
請求項６に係る本発明は（例えば図１ないし図８参照）、前記照明ユニット（３１）は、遊技機（１）に備えた枠体（２，３）及び／又は該枠体（２，３）に支持される遊技盤（７）に装着された状態で発光装飾を施してなる、
ことを特徴とする請求項５に記載の遊技機（１）にある。
【発明の効果】
【００１５】
請求項１に係る本発明によると、照明ユニットが、発光素子を実装した電飾基板と、少なくとも一方の面にレンズ状突起を１つ以上有して発光素子からの射出光を拡散する光拡散部材と、光拡散部材によって拡散された拡散光を透過することで発光装飾する装飾カバーと、を備え、上記した光拡散部材が、電飾基板と装飾カバーとの間であって、層状に複数配置されることにより電飾基板からの光を層毎に順次拡散させるので、光拡散部材が、指向性の強い点発光型の発光素子からの光を効率良く拡散し、発光面積の大きい広がりのある光にすることができる。これにより、光拡散部材は、光源における各発光素子の輪郭を不明瞭にさせ、装飾カバー全面から均一な光が発せられるような、あたかも面全体が発光しているような外観を醸し出させることが可能となる。更に、発光素子が実装された電飾基板と光拡散部材との間に充分な距離を取ることができない場合であっても、光拡散部材が層状に複数配置されることによって効率良く光を拡散させることができるようになるため、照明ユニットの薄型化を図ることができる。
【００１６】
請求項２に係る本発明によると、光拡散部材が、その両面に前記レンズ状突起を備え、かつ、それらレンズ状突起は、光拡散部材の一方の面と他方の面とで互いに異なる形状を有してなるので、発光素子からの光は、光拡散部材の一側の面に配置された突起の形状が有する性質に基づいて拡散され、その拡散された光が、他側の面に配置された突起の形状が有する性質に基づいて更に拡散される。このため、広範囲に効率良く光を拡散させることができるようになる。
【００１７】
請求項３に係る本発明によると、光拡散部材に備えたレンズ状突起は、少なくとも一方の面がダイアモンド形状を有してなるので、レンズ状突起が光を入射する側の面に設けられた場合には、平坦面の場合に比して受光面積が広くなり、光拡散部材内部に生じる光の屈折や散乱の要因が増えることで拡散透過光が増大し、光の拡散効率を向上させることができるようになる。また、レンズ状突起が光を射出する側の面に設けられた場合には、レンズ状突起内部で生じる光の屈折や散乱が増えると共に、平坦面の場合に比して射出面積が広くなることで透過光が拡散され、光の拡散効率を向上させることができるようになる。更に、レンズ状突起が、光を入射する側の面、及び光を射出する側の面の両方に設けられた場合においては、両面のレンズ状突起が相乗効果を為すことはもちろんである。
【００１８】
請求項４に係る本発明によると、光拡散部材に備えたレンズ状突起は、少なくとも一方の面がディンプル形状を有してなるので、レンズ状突起が光を入射する側の面に設けられた場合には、平坦面の場合に比して受光面積が広くなり、光拡散部材内部に生じる光の屈折や散乱の要因が増えることで拡散透過光が増大し、光の拡散効率を向上させることができるようになる。また、レンズ状突起が光を射出する側の面に設けられた場合には、レンズ状突起内部で生じる光の屈折や散乱が増えると共に、平坦面の場合に比して射出面積が広くなることで透過光が拡散され、光の拡散効率を向上させることができるようになる。更に、レンズ状突起が、光を入射する側の面、及び光を射出する側の面の両方に設けられた場合においては、両面のレンズ状突起が相乗効果を為すことはもちろんである。
【００１９】
請求項５に係る本発明によると、遊技機に、請求項１乃至４のいずれか１項に記載の照明ユニットを備えるので、装着することで発光装飾による演出の幅が広がり、装飾性の高い外観を具備する遊技機を得ることができる。
【００２０】
請求項６に係る本発明によると、照明ユニットは、遊技機に備えた枠体及び／又は該枠体に支持される遊技盤に装着された状態で発光装飾を施してなるので、遊技機の枠体や遊技盤のような厚さが限定されていて、照明ユニットを配置した際に電飾基板と光拡散部材との間に充分な距離を取ることが難しい空間であっても、光拡散部材が層状に複数配置されることによって効率良く光を拡散させることができ、遊技機の装飾性を高めることができるようになる。
【発明を実施するための最良の形態】
【００２１】
以下、本発明に係る照明ユニット及び該照明ユニットを備える遊技機の実施形態として、遊技場等に設置されるパチンコ機を図１ないし図１１に沿って説明する。
【００２２】
なお、本実施の形態に係るパチンコ機１には、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の第２種特別電動役物と、遊技領域に備えた所謂オープンチャッカーへの入賞時に開放した電動式チューリップへの入球後の特定入賞口への入賞にて大当たりの権利を発生させる構成の第３種特別電動役物とが適用可能である。
【００２３】
図１は本発明に係る実施の形態におけるパチンコ機（遊技機）の外部構造を示す正面図、図２は当該パチンコ機に搭載されたセンター飾り（ユニット役物）を単体で示す斜視図、図３は当該センター飾りを示す正面図、図４は図３に示したセンター飾りを同図A-A線に沿って切断して上方から見た状態で示す平面図、図５はセンター飾りとレンズユニットとの配置関係を示す分解斜視図、図６はセンター飾りと電飾基板との配置関係を示す分解斜視図、図７はレンズユニットの詳細な構造を示す分解斜視図、図８はレンズユニットと電飾基板との配置関係を示す側面図、図９はセンター飾りに備えた振り分け装置のクルーンを拡大して示す斜視図、図１０は図９のクルーンを上方から見た状態で示す平面図、図１１はクルーンの変形例を示す斜視図である。
【００２４】
パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー１７（図１参照）に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２５】
図１に示すように、本実施形態におけるパチンコ機１は、開口を有する枠体状の筐体（枠体）２と、この筐体２に開閉可能に装着された前扉（枠体）３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００２６】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００２７】
また、前扉３における上皿１３の下方には下皿１５が配置されており、該下皿１５の右部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００２８】
遊技領域７ａには、遊技球ステージＳを有するセンター飾り１２が中央部分に配設されている。センター飾り１２の下部左右には、大当たり抽選に寄与しない一般の入賞が行われる入賞口２９，３０が配設されており、センター飾り１２の下方には、始動入賞口としての始動チャッカー１６と、大入賞口としてのアタッカー１７とが順次配設されている。
【００２９】
センター飾り１２の中央部分には開口１１が形成されており、遊技盤７には、この開口１１から露出するように図柄表示装置６が設けられている。センター飾り１２は、図柄表示装置６の右側に振り分け装置２５を備えており、この振り分け装置２５は、上下２段に重なるように、つまり上下方向（鉛直方向）に重なる形で夫々視認可能に配置された第１クルーン３３と第２クルーン３４とを備えている。上記始動チャッカー１６は、開放位置と閉止位置とに開閉動作するように、不図示のソレノイドによって作動させられる。なお、始動チャッカー１６の直上方には、所謂命釘としての一対の障害釘７０が打ち込まれている。
【００３０】
上記「クルーン」という語句は、底面が曲面状に形成され、且つこの底面に複数個の表裏貫通孔を備え、底面上に転動されてきた遊技球を引き続き転動させつつ、貫通孔のいずれかに落下させる役物を意味する。
【００３１】
始動チャッカー１６には、大当たり抽選実行の契機となり得る入賞が行われる。また、アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３２】
更に遊技領域７ａには、図柄表示装置６の左上方に風車４４が配設されており、図柄表示装置６の下方における始動チャッカー１６の左右には、スルーゲート６１ａ，６１ｂが配設されている。これらスルーゲート６１ａ，６１ｂは、始動チャッカー１６を開閉動作させるための抽選の契機となる遊技球通過が行われる役物である。
【００３３】
そして、遊技領域７ａにおけるスルーゲート６１ａ，６１ｂ、入賞口２９，３０及び始動チャッカー１６等の周囲には、遊技球ステージＳから零れた遊技球や、発射されてから遊技球ステージＳに関与せずに落下してくる遊技球を適宜散らし、或いは入球に導くようにするための障害釘５４を含む多数の障害釘が打ち込まれている。また、遊技球ステージＳにおけるワープ導入口３２の周囲及びその上方側にも、遊技球を適宜散らし、或いは入球に導くようにするための障害釘２８を含む多数の障害釘が打ち込まれている。このような本パチンコ機１では、遊技領域７に打ち出された遊技球Ｂａを始動チャッカー１６等に、遊技球ステージＳを介して入球させ又は遊技球ステージＳを介さず直接入球させ得るように遊技が進められる。
【００３４】
なお、本実施形態における「ワープ導入」という語句は、遊技領域７ａに打ち出された遊技球を、当該遊技領域７ａの比較的下側に位置する不図示の道釘等を経ることなく、始動チャッカー１６の上に導くことを意味する概念である。また、上記「道釘」とは、遊技領域７ａにおいて始動チャッカー１６左右に打ち込まれた複数本の障害釘（図示せず）の列を意味するもので、上方から転動落下してきた遊技球を始動チャッカー１６方向に導く役割を担っている。
【００３５】
次に、センター飾り１２について図２ないし図４を参照して説明する。
【００３６】
すなわち、図２ないし図４に示すように、センター飾り１２は、上記開口１１を中央部に有する略筒状の枠体１２ａを備えており、枠体１２ａの周囲には、その複数箇所から外方に張り出すようにブラケット部２７が形成されている。各ブラケット部２７には、夫々枠体１２ａを遊技盤７に埋め込んだ形でネジ止めするために表裏貫通した孔２７ａが形成されている。
【００３７】
枠体１２ａは、その上部中央にワープ導入口３２を有しており、このワープ導入口３２から図の右下方に次第に細くなるように湾曲する稲妻形状の照明ユニット３１を有している。また、枠体１２ａ下部におけるブラケット部２７には、遊技球ステージＳの所定部位に連通する球放出口５３が形成されており、この球放出口５３は、始動チャッカー１６の直上方に位置して、放出する遊技球Ｂａが一対の障害釘７０の間を通って始動チャッカー１６にほぼ確実に（つまり、９７〜９９％の確率で）入賞し得るように構成されている。
【００３８】
センター飾り１２は更に、開口１１の右方に、ワープ導入口３２と遊技球ステージＳとの間に配置されて、ワープ導入口３２から導入された遊技球Ｂａの進路を振り分ける振り分け装置２５を備えている。遊技球ステージＳは、振り分け装置２５にて振り分けられた高確率入賞ルートの遊技球Ｂａを始動チャッカー１６に比較的高い確率（９７〜９９％(つまり、略１００％)）で入賞させ得る第１のステージＳ１と、振り分け装置２５にて振り分けられた低確率入賞ルートの遊技球Ｂａを始動チャッカー１６に比較的低い確率（０〜９６％、より好ましくは３５〜４５％）で入賞させ得る第２のステージＳ２とを備えている。なお、振り分け装置２５によって振り分けられるルートには、第１のステージＳ１及び第２のステージＳ２へのルート以外に、第２クルーン３４から落下した際に遊技球ステージＳの外方に放出されるルートも含まれる。
【００３９】
遊技球ステージＳ、即ち第１のステージＳ１及び第２のステージＳ２は夫々、左右に比較的長尺に延在する平坦面として形成されると共に、同図右方から左方に向かって下降するように傾斜して並列状に形成されている。つまり、第１及び第２のステージＳ１，Ｓ２は、同図右方（一側）から遊技球ステージＳの左右幅方向の左方（他側）に向かって徐々に下降するように傾斜して形成されている。この傾斜の角度θ（図３参照）は、２〜５゜の範囲内で適宜設定することができるが、４゜に設定することが、遊技球Ｂａの転がり状態を円滑にする上で好ましい。
【００４０】
また、遊技球ステージＳ、即ち第１のステージＳ１及び第２のステージＳ２は夫々、遊技機本体の奥側から手前側に向かって徐々に下降するように傾斜する遊技球転動面として構成されている。この傾斜角度は、２〜５゜の範囲で適宜設定することができるが、パチンコ機１全体の所謂ネカセ（通常は後方側に１゜傾斜）に鑑み、５゜に設定することが、遊技球Ｂａの転がり状態を円滑にする上で好ましい。つまり、奥側から手前側への傾斜が５゜の場合、ネカセ分の１゜が減算されて４゜となり、最良の傾斜状態が得られることになる。
【００４１】
第１のステージＳ１は、同図の右側に配置された振り分け装置２５から送られた遊技球Ｂａを図の右方から左方に向かって転動させる平坦状の転動面７１と、該転動面７１の奥側及び手前側の２面を区画する側壁４１，４２と、転動面７１の最後部、つまり傾斜に沿った最も低い部分に、転動移動してきた遊技球Ｂａを全て球放出口５３に導く球導入口４５とを備えている。側壁４１，４２の転動面７１側を向く内面には、発光ダイオード（以下、ＬＥＤと言う）が埋め込まれており、その照射光が転動面７１を適時照明することとなる。第１のステージＳ１における上記転動面７１は、遊技球Ｂａを１個ずつ転動案内できる程度の奥行き幅に構成されている。互いに対向して立設された側壁４１，４２の内面には、第１のステージＳ１の長手方向に沿って互い違いに（つまり千鳥状に）配置された転動速度抑制用の複数の突部４３が形成されている。
【００４２】
第２のステージＳ２は、同図の右側に配置された振り分け装置２５から送られた遊技球Ｂａを図の右方から左方に向かって転動させる平坦状の転動面７２と、該転動面７２の奥側及び手前側の２面を区画する側壁４２，７３と、転動面７２の最後部の一側部に形成されて放出口５３に連通する球導入口４９とを備えている。つまり、この球導入口４９は、第２ステージＳ２においての傾斜に沿った最も低い部分に、転動移動してきた複数の遊技球Ｂａのうちの一部を球放出口５３に導くように設けられている。球導入口４９の周囲には、転動面７２の左方への更なる転動移動を阻止して球導入口４９への落下を確実にさせるための保護枠５０が形成されている。
【００４３】
第２のステージＳ２における上記転動面７２は、遊技球Ｂａを複数個ずつ転動案内できるような、第１のステージＳ１より広い奥行き幅（約３倍）に構成されている。互いに対向して立設された側壁４２，７３の内面には、第２のステージＳ２の長手方向に沿って互い違いに（つまり千鳥状に）配置された転動速度抑制用の複数の突部４６が形成されている。また転動面７２には、振り分け装置２５側における遊技者側（図の手前側）から落下案内溝５２に向かって順に千鳥状に位置する９個の凸部４７が設けられている。凸部４７の当該個数は９個に限定されることはなく、必要に応じて設計時に適宜変更され得るものである。
【００４４】
上記複数個の凸部４７では、最後部の凸部４７Ａに対する遊技球Ｂａの方向や強さを含む弾接状況に応じて、球導入口４９への入球度合いが変わる。複数の凸部４７は、夫々透明材料からなり、球面状に上方に突出する形状を呈すると共に、各中心部４７ａは、転動面７２内に埋め込まれたＬＥＤからの光を上方に向けて射出するように形成される。
【００４５】
なお、上記透明材料の「透明」という語句は、濁りなく完全に透き通る状態のみならず、内方のＬＥＤから問題無く光照射させ得る全ての状態を含む概念である。
【００４６】
ところで、第２のステージＳ２の最も左側の位置には、図１に示すスルーゲート６１ａの上方に位置するように位置決めされた落下案内溝５２が形成されている。この落下案内溝５２は、遊技球ステージＳの前後方向（紙面手前−奥方向）に延在するように形成されており、第２のステージＳ２の転動面７２を転動してきて球導入口４９に入球できなかった遊技球Ｂａをステージ前方側に案内できるように、奥側から手前側に向かって徐々に下降するように傾斜して形成されている。
【００４７】
一方、振り分け装置２５は、図２及び図３の上方から見た平面視（図４参照）において重なるように上下２段に配置された第１及び第２クルーン３３，３４を備えている。上方に位置する第１クルーン３３側には、ワープ導入口３２から導入されて、上記照明ユニット３１内の案内溝７４（図３参照）を転動移動した後、垂直方向案内溝６７（図３参照）を通って落下する遊技球Ｂａを放出する放出口５６が設けられている。
【００４８】
第１クルーン３３には、放出口５６から放出された遊技球Ｂａを、裏面に固定された案内樋６２を介して下方の第２クルーン３４側に落下させるための貫通孔３５と、裏面に固定された案内樋６３を介して第２クルーン３４の下部側の排出口６６に放出するための貫通孔３６とが、センター飾り１２の左右方向（つまり、図１ないし図４における左右方向）に並んで配置されている。なお、図３中の符号７５は、演出用の照明装置を示している。
【００４９】
また、下方に位置する第２クルーン３４側には、上方の第１クルーン３３から案内樋６２を介して放出口５７から放出された遊技球Ｂａを、裏面に固定された案内樋６４を介して第１ステージＳ１に導入するための貫通孔３７と、裏面に固定された案内樋６５を介して、第２のステージＳ２の右前端部の当接部材５１の振り分け部５１ａに落下させるための貫通孔３８とが、センター飾り１２の左右方向（つまり、図１ないし図４における左右方向）に並んで配置されている。
【００５０】
上記当接部材５１は、図２及び図３に示すように、第２のステージＳ２の転動面７２に対して平行に（つまり水平に）延在する上記振り分け部５１ａと、転動面７２から振り分け装置２５の外方側（図２右方向）に所定角度で立ち上がるように延在する加速用弾接面５１ｂとを備えている。加速用弾接面５１ｂの上記所定角度は、第２クルーン３４の貫通孔３８を経由して直上方から落下してくる遊技球Ｂａを第２のステージＳ２側に効果的に加速して弾くことができる角度、つまり４０〜５０゜の範囲内で適宜設定することができる。
【００５１】
そして、図２に示すように、放出口５６から第１クルーン３３に至るまでの経路には、同図の左方に向かって下降するように傾斜する傾斜案内面（案内面）５８が形成されている。また、放出口５７から第２クルーン３４に至るまでの経路にも、同様の形状を有する傾斜案内面が形成されている。
【００５２】
ここで、センター飾りとその上部に配置されるレンズユニット及び電飾基板について図５及び図６に沿って説明する。
【００５３】
図５に示すように、センター飾り１２の枠組みである枠体１２ａは、枠体１２ａの内面側であって矢視Ａ１方向に向かって右側部に設けられる振り分け装置２５と、枠体１２ａの内面側であって矢視Ａ１方向に向かってその上方に設けられる表示プレート７９と、枠体１２ａの上部であって矢視Ａ１方向に対して手前側に設けられる上述の照明ユニット３１と、この照明ユニット３１の更に手前側に設けられる稲妻飾り８０とを有する。また、図５及び図６に示すように、枠体１２ａの下方には、転動面７２、球導入口４９、及び落下案内溝５２を備えた第２ステージＳ２が、その裏面に装飾基板９３が貼付された形（図６参照）で枠体１２ａの背面側から嵌合される。更に、枠体１２ａの内面側であって矢視Ａ１方向に向かって左側部には遊技球ステージＳや遊技者に向かって発光装飾を施す装飾部材９４がネジ止めされて取付けられ、また、枠体１２ａの右下方には稲妻を模った装飾部材９２が背面側からネジ止めされることで取付けられる。
【００５４】
振り分け装置２５は、ワープ導入口３２から導入された遊技球Ｂａが進入する進入孔が上部に設けられ、その進入孔の下方には導入された遊技球Ｂａの進行方向を振り分ける第１クルーン３３及び第２クルーン３４が設けられており、第１クルーン３３及び第２クルーン３４の前側にはカバー部材が夫々覆うように設置されている。また、これらクルーン部材の矢視Ａ１方向左端部には、射出窓を有する上下方向（鉛直方向）に延設された照明装置が設けられている。この振り分け装置２５は、ネジｓｃによって背面側から枠体１２ａに取付けられる。
【００５５】
表示プレート７９は、例えばパチンコ機１の機種名等のロゴマークを、表示プレート７９の前面側に描画あるいは射出成型した部材であり、部材全体がロゴマークを装飾するような色や模様に彩色されている。そして、枠体１２ａには、矢視Ａ１方向の向きから合わせられ、ネジｓｃを用いて枠体１２ａの背面側からネジ止めされる。設置された表示プレート７９は、図柄表示装置６の上部であって、遊技者が自然体で遊技する視線方向のやや上側に目立つように設置される。
【００５６】
照明ユニット３１は、ワープ導入口３２から導入された遊技球Ｂａを転動案内する案内溝７４（図３参照）を内包するレンズユニット８１と、稲妻を模った稲妻飾り８０，８２とが結合することで全体としてセンター飾り１２を装飾する一組の装飾部材をなす。この照明ユニット３１は、センター飾り１２の上部に矢視Ａ１方向の向きから合わせられ、照明ユニット３１の有する複数のネジ孔８２ａ，８３ａに対して枠体１２ａの背面側からネジ止めされる。
【００５７】
ここで、図６に示すように、照明ユニット３１の取り付け位置である枠体１２ａの上部には、矢視Ａ２方向の向きと逆向きに光を照射する、複数（本実施形態では１１個）のＬＥＤ（発光素子）８７が実装された電飾基板８６と、複数（本実施形態では７個）のＬＥＤ８９が実装された電飾基板８８と、複数（本実施形態では２個）のＬＥＤ９１が実装された電飾基板９０と、が配置される。そして、照明ユニット３１は、背面側から射出される上記ＬＥＤ８７，８９，９１からの光を、レンズユニット８１を介して枠体１２ａの正面側（矢視Ａ２方向の向きと逆向き）に拡散発光し、センター飾り１２の発光装飾を施す。
【００５８】
次いで、本発明の特徴となる照明ユニット３１の詳細な構造について図７及び図８に沿って説明する。
【００５９】
図７に示すように、照明ユニット３１が有するレンズユニット８１は、矢視Ａ３方向の向き、すなわち遊技者が遊技する際に視認する側から向かって、装飾カバー８３、レンズ部材（光拡散部材）８４、及びレンズ部材（光拡散部材）８５の順に配列され、これら３つの部材で構成されている。そして、レンズユニット８１は、これら３つの部材がネジｓｃによって背面側からネジ止めされることで1つのユニットとして組み付けられると共に、これが枠体１２ａに設置される際には、レンズユニット８１の装飾部材である稲妻飾り８２が矢視Ａ３方向に向かって最も手前側に設置される。
【００６０】
装飾カバー８３は、透明で光透過性の高いプラスチックからなり、その表面には稲妻をイメージさせる凸状あるいは凹状の線模様が施されている。装飾カバー８３には、レンズユニット８１及び枠体１２ａにネジ止めするためのネジ孔８３ａが２箇所設けられている。なお、装飾カバー８３は、装飾部材でありながらワープ導入口３２から導入される遊技球Ｂａの転動落下する様子を視認するための窓部も兼ねている。後述するように装飾カバー８３の直ぐ背面には遊技球Ｂａの案内路８４ａが設けられるので、遊技者は遊技球Ｂａが装飾カバー８３の稲妻形状に沿って転動する様子を装飾カバー８３越しに視認できるようになる。これにより、遊技球Ｂａが力強くあるいはスピード感のあるものとして演出される。
【００６１】
レンズ部材８４は、透明で光透過性の高いプラスチックからなり、図８に示すように、その背面側の側面にはディンプル形状（例えば、側面視半球状）のレンズ状突起８４ｆが形成されている。レンズ部材８４には、矢視Ａ３方向に向かって左端部にワープ導入口３２が設けられ、このワープ導入口３２からは溝状の遊技球Ｂａの案内路８４ａが形成されており、レンズ部材８４の右方に設けられた玉放出口８４ｅまで続いている。この案内路８４ａは、レンズ部材８４と装飾カバー８３とが接合されることにより中空の管状の通路として形成される。更にレンズ部材８４の上部からは、矢視Ａ３方向に向かって所定の幅をもったブラケット部８４ｂが延設される。また、レンズ部材８４には、装飾カバー８３のネジ孔８３ａを嵌入する貫通口８４ｃが２箇所と、枠体１２ａにネジ止めするためのネジ孔８４ｄが設けられている。
【００６２】
レンズ部材８５は、透明で光透過性の高いプラスチックからなり、図８に示すように、矢視Ａ３方向に向かってその手前側の側面にはディンプル形状（例えば、半球状）のレンズ状突起８５ｆが形成され、奥側の側面にはダイヤカット、いわゆるダイアモンド形状（例えば、正六面体）のレンズ状突起８５ｅが形成されている。レンズ部材８５の上部からは、矢視Ａ３方向に向かって所定の幅を有するブラケット部８５ａが延設される。また、レンズ部材８５には、レンズ部材８４の不図示のネジ孔と、玉放出口８４ｅの壁部を回避する貫通口８５ｃと、装飾カバー８３のネジ孔８３ａを回避する貫通口８５ｂと、が設けられている。
【００６３】
一方、図７に示す稲妻飾り８２は、雷によって発生する一般的な稲妻を模って射出成型されたプラスチックからなり、任意の色に着色される。稲妻飾り８２には、レンズユニット８１及び枠体１２ａにネジ止めするためのネジ孔８２ａが２箇所設けられている。
【００６４】
上述したように、装飾カバー８３、レンズ部材８４、及びレンズ部材８５の各部材が同順で且つ若干の間隙を開けた形で前後方向に隣り合い、互いに層を為すように接合されることによって、レンズユニット８１が構成されている。なお、装飾カバー８３、レンズ部材８４、及びレンズ部材８５の各部材が同順で且つ間隙を開けずに接合された形とすることも可能である。更に、このレンズユニット８１が枠体１２ａに組み付けられた際には、図８に示すような電飾基板８６，８８，９０がレンズユニット８１の背面側に配置される。照明ユニット３１は、これらレンズユニット８１及び電飾基板８６，８８，９０によって構成され、電飾基板８６，８８，９０が夫々実装するＬＥＤ８７，８９，９１からの光をレンズユニット８１が順次拡散しつつ射出する（図８の拡散光Ｌ参照）ことでパチンコ機１の発光装飾を施す。
【００６５】
なお、上記装飾カバー８３、レンズ部材８４、及びレンズ部材８５の説明中にて用いた「透明」という語句は、濁りなく完全に透き通る状態のみならず、ＬＥＤ８７，８９，９１からの光を問題無く拡散・射出させ得る全ての状態を含む概念である。
【００６６】
次に、図９ないし図１１に沿って、第１及び第２クルーン３３，３４を説明する。なお、これら両クルーン３３，３４は相互に同じ構成を有するため、ここでは第１クルーン３３の構成のみを説明し、基本的に第２クルーン３４の説明は省略することとする。
【００６７】
すなわち、第１クルーン３３は、図１０に示す上下左右の位置関係を保持した状態で遊技球ステージＳ右側の振り分け装置２５に位置決め固定（図４参照）されるように構成されており、突起７８を中心とした平面視真円状の転動案内面３３ａと、この転動案内面３３ａの図１０における左右幅方向の一側と他側に位置する貫通孔３５，３６と、遊技球ステージＳの奥側（図１０の上側）に延びる傾斜案内面５８と、傾斜案内面５８の周囲を互いに直交する形で覆う側壁３３ｃ，３３ｄ，３３ｅと、側壁３３ｄから延びて転動案内面３３ａの周囲を円筒状に覆う側壁３３ｂとを有している。
【００６８】
図９に示すように、傾斜案内面５８は、同図上方から落下して側壁３３ｃの内側で受け止めた遊技球Ｂａを転動案内面３３ａに向けて転動移動できるように、全体的に転動案内面３３ａから所定高さの段差５８ｃ以上の高さを有するように設計されている。当該第１の案内面５８ａは、側壁３３ｃの内側で受け止めた遊技球Ｂａを側壁３３ｄ側に寄せつつ転動案内面３３ａに向けて転動移動させ得るように、側壁３３ｄ側と転動案内面３３ａ側に同時に傾斜する第１の案内面５８ａと、この第１の案内面５８ａに連続して転動案内面３３ａ側に傾斜しつつ細く延び、かつ側壁３３ｄ側に第１の案内面５８ａ以上に傾斜する第２の案内面５８ｂとを有している。
【００６９】
第１クルーン３３は、図９及び図１０に示すように、貫通孔３５と貫通孔３６との間の中央に位置して鉛直方向上方に突出する上記突起７８を有しており、この突起７８を貫通孔３５，３６の夫々に向かって傾斜する傾斜面６９と、転動案内面３３ａから当該傾斜面６９に向かって傾斜する傾斜面６８とを有している。傾斜面６８は、傾斜案内面５８に受け止められて（図１０の二点鎖線Ｂａ１参照）転動案内面３３ａの円筒状の内面に沿って転動する遊技球（図１０の二点鎖線Ｂａ２参照）が転動案内面３３ａの中心側に至った際（図１０の二点鎖線Ｂａ３参照）、この遊技球Ｂａ３を、貫通孔３５，３６のいずれかに進入し易くなるように案内する。そして突起７８は、当該進入時、例えば貫通孔３６側に入球しようとしながらも貫通孔３５側に流れそうになる遊技球Ｂａ３を、そのまま貫通孔３６側に入球させるように補助する機能を有する。この機能は、貫通孔３５側から貫通孔３６側への移動時にも同様に働くことは言うまでもない。
【００７０】
第１クルーン３３では、所定寸法（例えば１８０〜２００［ｍｍ］の範囲内）の半径を有する球体の一部をカットした球面形状を転動案内面３３ａとして用いている。このため、突起７８は、当該球面形状の中心に位置する突起７８の一側及び他側に並ぶように形成された貫通孔３５，３６夫々の側壁３３ｂ側と突起７８側との段差の存在に起因した、貫通孔３５，３６間での上述の遊技球流れを補助し得る程度の高さ寸法（例えば２〜４［ｍｍ］の範囲内）に設定されている。なお、貫通孔３５，３６間での上述の遊技球流れを、逆に遊技性として捉える場合には、図１１に示す変形例のように、突起７８を除去して構成することもできる。或いは、別の遊技性の観点から勘案する場合、突起７８はそのまま残存させ、傾斜面６９を単なる平坦面として、貫通孔３５，３６間を連絡するだけの構成とすることもできる。
【００７１】
なお、本実施形態においてセンター飾り１２は、第１のステージＳ１を備えて始動チャッカー１６への入賞確率が比較的高い第１入賞ルートと、第２のステージＳ２を備えて比較的低い第２入賞ルートとを具備しており、上記貫通孔３６，３８が、転動案内面３３ａ，３４ａ上で転動する遊技球Ｂａを上記第２入賞ルートに導くように構成される。
【００７２】
したがって、本実施形態におけるパチンコ機１では、皿ユニット１３上に遊技球Ｂａが滞留している状態にて、遊技者が発射ハンドル９を握って図１の時計回り方向に適宜の角度回動させて保持すると、不図示の発射装置の作動によって遊技球Ｂａが遊技領域７ａに向けて打ち出される。すると、ガイドレール１０から遊技領域７ａ上に放出された多数の遊技球Ｂａのうち、一部がワープ導入口３２から入球される。
【００７３】
そして、ワープ導入口３２から導入された遊技球Ｂａは、案内溝７４（図３）を通って垂直方向案内溝６７を落下し、不図示の落下速度抑制機構によって落下速度を軽減された後、放出口５６から傾斜案内面５８を経由して第１クルーン３３の側壁３３ｂ内に放出され、この側壁３３ｂの内面に沿って回転するように転動する。第１クルーン３３上の遊技球Ｂａは、摩擦抵抗等に起因して転動速度が弱まった段階で、球面状に形成されて低くなっている中心部分に導かれ、貫通孔３５，３６のいずれかに落下することとなる。
【００７４】
貫通孔３５に落下した場合、遊技球Ｂａは、案内樋６２から傾斜案内面（図示せず）を経由して第２クルーン３４上の側壁３４ｂ内（図７参照）に放出され、この側壁３４ｂの内面に沿って回転するように転動する。そして、第２クルーン３４上の遊技球Ｂａは、摩擦抵抗等に起因して転動速度が弱まった段階で、第１クルーン３３と同様形状の中心部分に導かれ、貫通孔３７，３８のいずれかに落下することとなる。
【００７５】
一方、第１クルーン３３の貫通孔３６に落下した場合、遊技球Ｂａは、案内樋６３から排出口６６を経由して第２のステージＳ２に向けて放出され、この第２のステージＳ２をその傾斜に沿って図２の左方向に、複数の凸部４７に任意に当接しつつ転動し、最後端の凸部４７Ａに適切な角度で当接する等の偶然的な要件を満たした場合、球導入口４９に導入されて球放出口５３から始動チャッカー１６に入賞し、或いは球導入口４９に入球できずに落下案内溝５２から下方のスルーゲート６１ａに向けて落下されることとなる。なお、球導入口４９に導入された場合であっても、障害釘７０への当接状況により始動チャッカー１６に入賞できない場合があることは言うまでもない。
【００７６】
第２のステージＳ２を遊技球Ｂａが転動する途中、転動面７２では各凸部４７の中心部４７ａに対応するＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００７７】
そして、第２クルーン３４において貫通孔３７に落下した場合、その遊技球Ｂａは、案内樋６４を介して第１のステージＳ１の最右端部に放出され、転動面７１の傾斜に沿って、その進行方向の左右に位置して突出する転動速度抑制用の複数の突部４３に交互に当接しながら緩やかに転動移動する。そして、最後部にて球導入口４５に入球して球放出口５３から始動チャッカー１６に入賞することとなる。この際も、球導入口４９に導入されても始動チャッカー１６に入賞できない場合があることは言うまでもない。第１のステージＳ１を遊技球Ｂａが転動する途中、側壁４１，４２に埋め込まれたＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００７８】
なお、第２のステージＳ２から落下する遊技球Ｂａは、その落下方向が、始動チャッカー１６上の一対の障害釘７０の間を通過して入球し得る方向と異なるとしても、当該障害釘７０の左右に打ち込まれた不図示の所謂ジャンプ釘や、当該ジャンプ釘から左右方向に配列された道釘（図示せず）で弾かれることにより、所謂命釘である障害釘７０に絡んでその間を落下して始動チャッカー１６に入球することもある。
【００７９】
ところで、照明ユニット３１は、所定のタイミングで点灯あるいは消灯させることで、パチンコ機１の装飾性を高め、遊技者の興趣の向上に貢献する。ここで、上記所定のタイミングとは、例えば、パチンコ機１の電源がオンされてパチンコ機１が起動状態となった場合、パチンコ機１の遊技の最中、前述したような遊技球ステージＳを遊技球Ｂａが転動している間、もしくは、始動チャッカー１６へ遊技球Ｂａが入賞した時点の所定時間等を指す。
【００８０】
照明ユニット３１は、上述したような各所定のタイミングにおいて点灯するように設計あるいは設定されるが、通常、その何れの場合においても不図示の制御部からの信号によって制御される。なお、上記で例示した各所定のタイミング以外にも不図示の制御部によって制御可能なタイミングであれば点灯・消灯し得るように設計や設定を行なってもよい。また、制御部等からの制御によらず、スイッチ等の人為的な操作によって点灯・消灯し得るように設計や設定を行なってもよい。
【００８１】
ここで、照明ユニット３１が所定のタイミングとなり、不図示の制御部により電源がオンされると、電飾基板８６，８８，９０が夫々有するＬＥＤ８７，８９，９１から光が照射される。照射された光は、まず、電飾基板８６，８８，９０を覆うように設けられているレンズ部材８５に入射し、レンズ部材８５の一方の面が有するダイアモンド形状のレンズ状突起８５ｅにより屈折あるいは散乱される。そして、レンズ部材８５の他方の面が有するディンプル形状のレンズ状突起８５ｆを介して射出されることで更に拡散される。
【００８２】
レンズ部材８５で拡散された光は、次にレンズ部材８４に入射すると共に、レンズ部材８４の一方の面が有するディンプル形状のレンズ状突起８４ｆにより屈折あるいは散乱される。これによって、光がより一層拡散されてレンズ部材８４の平坦面側から射出される。そして、上記したレンズ部材８４，８５によって充分に拡散された光は、稲妻飾り８０，８２が添うように設置された装飾カバー８３を介して射出され、遊技中の遊技者からは稲妻が発光したように視認される。これにより、パチンコ機１の遊技盤面上に設けられた各種役物の中でもセンター飾り１２の装飾効果を一段と高め、遊技者の興趣の向上を図るものとしている。
【００８３】
以上説明した本実施形態によると、照明ユニット３１は、装飾カバー８３と電飾基板８６，８８，９０との間であって、レンズユニット８１を構成するレンズ部材８４，８５が層状に配置され、電飾基板８６，８８，９０上に夫々実装されたＬＥＤ８７，８９，９１からの光を順次拡散して発光するので、レンズ部材８４，８５が、指向性の強い点発光型のＬＥＤ８７，８９，９１からの光を効率良く拡散し、発光面積の大きい広がりのある光にすることができる。これにより、レンズ部材８４，８５は、ＬＥＤ８７，８９，９１の光を拡散して輪郭をぼかし、装飾カバー全面から均一な光を発することができるようになる。この場合、装飾カバー８３、レンズ部材８４，８５の間に若干の間隙を有するので、上記拡散して輪郭をぼかす作用効果をより有効にすることができる。
【００８４】
また、照明ユニット３１は、装飾カバー８３と電飾基板８６，８８，９０との間であって、レンズユニット８１を構成するレンズ部材８４，８５が層状に配置され、電飾基板８６，８８，９０上に夫々実装されたＬＥＤ８７，８９，９１からの光を順次拡散して発光するので、ＬＥＤ８７，８９，９１とレンズ部材８４，８５との間に充分な距離を取ることができない場合であっても、レンズ部材８４，８５が層状に複数配置されることによって効率良く光を拡散させることができるようになり、照明ユニット３１の薄型化を図ることができるようになる。
【００８５】
また、レンズ部材８５は、その両面にレンズ状突起８５ｅ，８５ｆを備え、更にレンズ状突起８５ｅ，８５ｆは夫々異なる形状を有してなるので、ＬＥＤ８７，８９，９１からの光は、レンズ部材８５のレンズ状突起８５ｅの形状が有する性質に基づいて拡散され、その拡散された光が、レンズ状突起８５ｆの形状が有する性質に基づいて更に拡散されるため、広範囲に亘って効率良く光を拡散させることができるようになる。
【００８６】
また、レンズ部材８５に備えたレンズ状突起８５ｅ，８５ｆは、少なくとも一方の面がダイアモンド形状を有してなるので、レンズ状突起８５ｅが光を入射する側の面に設けられた場合には、平坦面の場合に比して受光面積が広くなり、レンズ部材８５内部に生じる光の屈折や散乱の要因が増えることで拡散透過光が増大し、光の拡散効率を向上させることができるようになる。また、レンズ状突起８５ｅが光を射出する側の面に設けられた場合には、レンズ状突起８５ｅ内部で生じる光の屈折や散乱が増えると共に、平坦面の場合に比して射出面積が広くなることで透過光が拡散され、光の拡散効率を向上させることができるようになる。更に、レンズ状突起８５ｅが、光を入射する側の面、及び光を射出する側の面の両方に設けられた場合においては、両面のレンズ状突起８５ｅ，８５ｆが相乗効果を為すことはもちろんである。
【００８７】
また、レンズ部材８５に備えたレンズ状突起８５ｅ，８５ｆは、少なくとも一方の面がディンプル形状を有してなるので、レンズ状突起８５ｆが光を入射する側の面に設けられた場合には、平坦面の場合に比して受光面積が広くなり、レンズ部材８５内部に生じる光の屈折や散乱の要因が増えることで拡散透過光が増大し、光の拡散効率を向上させることができるようになる。また、レンズ状突起８５ｆが光を射出する側の面に設けられた場合には、レンズ状突起８５ｆ内部で生じる光の屈折や散乱が増えると共に、平坦面の場合に比して射出面積が広くなることで透過光が拡散され、光の拡散効率を向上させることができるようになる。更に、レンズ状突起８５ｆが、光を入射する側の面、及び光を射出する側の面の両方に設けられた場合においては、両面のレンズ状突起８５ｅ，８５ｆが相乗効果を為すことはもちろんである。
【００８８】
また、パチンコ機１が照明ユニット３１を備えるので、ＬＥＤ８７，８９，９１からの光を効率良く拡散した照明を提供することで、装飾性の高い外観を具備する遊技機を得ることができる。
【００８９】
なお、以上で説明した本実施の形態においては、レンズユニット８１である装飾カバー８３、レンズ部材８４、レンズ部材８５においては、一般的にプラスチックをはじめとする合成樹脂を用いることを想定して説明を行なったが、他にガラス等を用いてもよく、更には光透過性が高く適度な剛性と弾力性を有する材質のものであれば特に限定されるものではない。
【００９０】
また、本実施の形態において、レンズ部材８４にはレンズ状突起８４ｆを一側の面にしか配置して説明を行なわなかったが、両面に配置させるようにしてもよい。更に、レンズ部材８５と同様、両面で異なる形状の突起を配置させるようにしてもよい。
【００９１】
また、本実施の形態において、レンズ部材８４の有するレンズ状突起８４ｆ、及びレンズ部材８５の有するレンズ状突起８５ｅ，８５ｆは、夫々ダイアモンド形状又はディンプル形状であるとして説明をおこなったが、シボ形状、ストライプ形状等のものであってもよく、凹凸を有した拡散性の高いものであれば特に限定されるものではない。
【００９２】
また、本実施の形態において、照明ユニット３１は、遊技領域７ａに設けられるユニット飾り１２に取付けられるとして説明をおこなったが、例えば筐体２、前扉３、上皿１３もしくは下皿１５といったパチンコ機１を形成する何れか１箇所に配置されること、又は同時に複数の箇所に照明ユニット３１が配置されることによってパチンコ機１が発光装飾されるのであればその取付け場所は特に限定されるものではない。
【００９３】
以上、本発明をその好適な実施の形態に基づいて説明したが、本発明の照明ユニット及び該照明ユニットを備える遊技機は、上記実施形態の構成にのみ限定されるものではなく、上記実施形態の構成から種々の修正及び変更を施した照明ユニット及び該照明ユニットを備える遊技機も、本発明の範囲に含まれる。
【図面の簡単な説明】
【００９４】
【図１】本発明に係る実施の形態におけるパチンコ機の外部構造を示す正面図である。
【図２】当該パチンコ機に搭載されたセンター飾りを単体で示す斜視図である。
【図３】当該センター飾りを示す正面図である。
【図４】図３に示したセンター飾りを同図A-A線に沿って切断して上方から見た状態で示す平面図である。
【図５】センター飾りとレンズユニットとの配置関係を示す分解斜視図である。
【図６】センター飾りと電飾基板との配置関係を示す分解斜視図である。
【図７】レンズユニットの詳細な構造を示す分解斜視図である。
【図８】レンズユニットと電飾基板との配置関係を示す側面図である。
【図９】センター飾りに備えた振り分け装置のクルーンを拡大して示す斜視図である。
【図１０】図９のクルーンを上方から見た状態で示す平面図である。
【図１１】クルーンの変形例を示す斜視図である。
【符号の説明】
【００９５】
１：パチンコ機（遊技機）
７：遊技盤
７ａ：遊技領域
３１：照明ユニット
８３：装飾カバー
８４，８５：レンズ部材（光拡散部材）
８４ｆ，８５ｅ，８５ｆ：レンズ状突起
８６，８８，９０：電飾基板
８７，８９，９１：ＬＥＤ（発光素子）
Ｌ：拡散光
【図１】
2006122279.tif 000003
【図２】
2006122279.tif 000004
【図３】
2006122279.tif 000005
【図４】
2006122279.tif 000006
【図５】
2006122279.tif 000007
【図６】
2006122279.tif 000008
【図７】
2006122279.tif 000009
【図８】
2006122279.tif 000010
【図９】
2006122279.tif 000011
【図１０】
2006122279.tif 000012
【図１１】
2006122279.tif 000013